(57)【要約】      （修正有）【課題】  ストレッチャーに空気感染防止手段を施して患者を隔離搬送する装置として、感染症患者からの空気感染防止用として内部陰圧を保持して使用する専用装置、又は、易感染症等の患者への空気感染防止用として内部陽圧を保持して使用する専用装置があるが、用途により各々保有して使い分けなければならない。【解決手段】  ストレッチャーの枠体２に患者の隔離搬送用カプセルを固定し、カプセル本体５には送風機１７及びフィルター１４で構成された挿入抜き取り可能なユニットを有し、ユニットにはカプセル内部の空気を浄化排出して陰圧を保持する排気ユニット１３及び、カプセル内部に外気を浄化供給して陽圧を保持する給気ユニット１５がある。このユニットを入れ替えることにより、一台の該カプセル内部を陰圧及び陽圧にして使用できるようにした。【選択図】  図１
2005028058.tif 000002
【特許請求の範囲】
【請求項１】
マットレスと枠体で構成される積載部を備えたストレッチャー及びマットレスと枠体で構成される担架の取り外し式ストレッチャーにおいて、枠体に患者の隔離搬送用カプセルを固定し、該カプセルは送風機及びフィルターで構成された挿入抜き取り可能なユニットを有し、該ユニットにはカプセル内部の空気を浄化排出する排気ユニット及び、カプセル内部に外気を浄化供給する給気ユニットがある。ユニットを入れ替えることにより、カプセル内部を排気ユニットにより陰圧に保持することができ、又は、給気ユニットにより陽圧に保持することがでる。一台の隔離搬送用カプセルをユニットの入れ替えによって、陰圧及び陽圧にして使用できることを特徴とするクリーン隔離搬送カプセル。
【発明の詳細な説明】
【技術分野】
【０００１】  本発明は、マットレスと枠体を備えたストレッチャーに隔離カプセルを固定し、感染症患者からの空気感染の防止及び易感染症等の患者への空気感染を防止して搬送するための患者搬送カプセルに関する。
【背景技術】
【０００２】  従来のストレッチャーに空気感染防止手段を施して患者を隔離搬送する装置等が知られているが、（例えば、特許文献１及び２参照。）いずれの場合も患者が隔離収容された内部は、該内部の空気を浄化排出して陰圧を保持する専用装置、又は、該内部に外気を浄化供給して陽圧を保持する専用装置であった。
【特許文献１】  特開平１１−２９０３８３
【特許文献２】  実用登録１６７３０６６
【発明の開示】
【発明が解決しようとする課題】
【０００３】  ストレッチャーに空気感染防止手段を施して患者を隔離搬送する装置として、感染症患者からの空気感染防止用として内部陰圧を保持して使用する専用装置、又は、易感染症等の患者への空気感染防止用として内部陽圧を保持して使用する専用装置であり、用途により該装置を各々保有して使い分けなければならないという課題があった。
【課題を解決するための手段】
【０００４】  マットレスと枠体で構成される積載部を備えたストレッチャー及びマットレスと枠体で構成される担架の取り外し式ストレッチャーにおいて、枠体に患者の隔離搬送用カプセルを固定し、該カプセルは送風機及びフィルターで構成された挿入抜き取り可能なユニットを有し、該ユニットにはカプセル内部の空気を浄化排出する排気ユニット及び、カプセル内部に外気を浄化供給する給気ユニットがある。ユニットを入れ替えることにより、カプセル内部を排気ユニットにより陰圧に保持することができ、又は、給気ユニットにより陽圧に保持することがでる。一台の隔離搬送用カプセルをユニットの入れ替えによって、陰圧及び陽圧として使用できることを特徴とする。
【発明の効果】
【０００５】  本発明の隔離搬送用カプセルと排気ユニット及び給気ユニットを備え置くことにより、感染症患者や易感染症等の患者の隔離搬送を行う場合に、ストレッチャーに空気感染防止手段を施して患者を隔離搬送する装置として、感染症患者からの空気感染防止用の内部陰圧を保持して使用する専用装置、又は、易感染症等の患者への空気感染防止用の内部陽圧を保持して使用する専用装置を各々保有する必要がなくなり、該隔離搬送用カプセルのユニットの入れ替えのみで用途により容易に対応することができる。【０００６】  また、内部陰圧を保持して使用する専用装置、及び、内部陽圧を保持して使用する専用装置を各々保有する必要がないため、コストパフォーマンスにも優れる。【０００７】  さらには、感染力の強い感染菌に感染した感染症患者の隔離搬送に使用した排気ユニットを、隔離搬送用カプセルから抜き取ることにより、感染症患者からの感染菌を含むカプセル内部の空気を浄化排出した排気ユニットのフィルターの滅菌消毒処理及び交換作業が安全かつ容易となる。あるいは、排気ユニットごと滅菌消毒処理後に廃棄処分することもでき、保守管理及び安全性にも優れる。また、給気ユニットも同様に扱うことができる。
【発明を実施するための最良の形態】
【０００８】  本発明のクリーン隔離搬送カプセルについて実施するための最良の形態としては、図１に示すように、マットレス１と枠体２を備えた市販のストレッチャーに隔離搬送用カプセルを該カプセルの患者積載部の厚手シート状の底部材３をマットレス１に接するようクランプ４により枠体２に固定されている。【０００９】  搬送患者の荷重は厚手シート状の底部材３を介してストレッチャーに伝わり、シート状の底部材３は、カプセル内部が陰圧に保持されているとき外圧により浮き上がらない程度の強度をもっている。【００１０】  カプセル本体５は錆びにくいステンレスＳＵＳ３０４製である。【００１１】  カプセルフード６については、透明帯電防止のアクリル板又は、ポリカーボネート板を加工したものを使用し、左右各側面に三箇所の作業孔７を設けている。この作業孔には半透明のシリコンゴム製のシートに放射状に切り込みを入れた弁８を取り付け、カプセル内部の圧力調整弁の役割をもたすと共に、患者搬送時の作業用に使用できるものである。【００１２】  カプセル本体５とカプセルフード６の接合は、バックル９により容易にすばやく取り外しすることができ、接合部にはパッキン１０が設けられ気密性も確保されていることはいうまでもない。【００１３】  カプセル本体５には、充電可能なバッテリー１１が備えられており繰り返し使用できるほか、図示してはいないが、建物に常設の電源を使用するためのコンセントプラグを有し、救急車や車両にある電源でも使用できるようアダプターを備え、長時間の使用に対応することができる。【００１４】  また、建物に常設の電源を使用することができるため、病院等の感染症患者用陰圧病室や易感染症患者用無菌室の保守時や非常時の一時避難及び待機用としても使用できる。【００１５】  患者を収容したときカプセル本体５の患者頭部近傍には、換気口１２が設けられており排気ユニット１３装着使用時には、感染症患者の呼気をすばやく換気口１２より吸引し、排気ユニット１３のフィルター１４より浄化排出して、内部陰圧を保持し感染菌の拡散が防止される。【００１６】  また、給気ユニット１５装着使用時は、易感染症等の患者に外気を給気ユニット１５のフィルター１４により浄化して換気口１２より供給する。これにより内部陽圧が保持され、感染菌の侵入が防止される。【００１７】  上記排気ユニット１３又は給気ユニット１５装着使用時の該隔離搬送用カプセル内部の空気は、図２に示すようにカプセル内部陰圧使用の場合には作業孔７より外気が導入され、換気口１２より排気ユニット１３により吸引濾過されてカプセル本体５下方へ排出される。【００１８】  又は、内部陽圧使用の場合にはカプセル本体５下方より外気が導入され、給気ユニット１５により濾過されて換気口１２よりカプセル内部へ供給されると共に、余剰空気が作業孔７より排出される。以上のようにたえず換気されて新鮮な空気が内部に供給される。【００１９】  次に図３に示す排気ユニット１３は、フィルター１４の濾過材破損による空気中の微細粒子の漏洩が発生することが最も危険なことである。すなわち微細粒子がフィルター１４を通過するということは、微細な感染菌等がフィルター１４を通過し、外部へ放出拡散して二次感染をひきおこすことが考えられるからである。このため排気ユニット１３のフィルター１４上流側には、多孔板１６を設置してフィルター１４の濾過材を保護している。【００２０】  使用するフィルター１４は、粒径０．３ミクロンの粒子の捕集効率が９９．９７％以上のＨＥＰＡフィルターとしているが、粒径０．１２ミクロンから０．１７ミクロンの粒子の捕集効率が９９．９９９％以上のＵＬＰＡフィルターとしてもよい。【００２１】  また、図示してはいないがフィルター１４の負荷を軽減し寿命を延ばすために、排気ユニット１３のフィルター１４上流側に設けた多孔板１６とフィルター１４との間に、プレフィルターとして不織布フィルターを設置して粗塵を濾過してもよい。【００２２】  送風機１７により換気口１２からフィルター１４を通過して濾過された空気は、排気口１８より外部へ放出される。排気口１８より異物の侵入を防止するために排気口１８には、多孔板２１を設けている。【００２３】  排気ユニット１３のフィルター１４上流側の多孔板１６及び排気口１８の多孔板２１は、空気抵抗の少ないものがよく、開口率は５０％以上あるものを使用している。【００２４】  送風機１７としては、フィルター１４の圧力損失が大きく、カプセル内部の陰圧を確保する必要があるためシロッコファンを用いている。【００２５】  排気ユニット１３の正面には、挿入抜き取り用の取っ手１９が設けられており、微細な感染菌等を捕集しているフィルター１４は排気ユニット１３をカプセル本体５から抜き取ることで、直接触れることなく滅菌消毒処理及び交換作業が安全かつ容易となる。あるいは、排気ユニット１３ごと滅菌消毒処理後に廃棄処分することもでき、保守管理及び安全性にも優れる。【００２６】  次に図４に示す給気ユニット１５は、前記排気ユニット１３の説明と同様にフィルター１４の濾過材破損による空気中の微細粒子の漏洩が最も危険なことである。すなわち微細な感染菌等がフィルター１４を通過し、カプセル内部へ侵入して易感染症等の患者に感染をひきおこすことが考えられるからである。このため給気ユニット１５のフィルター１４下流側には、多孔板２２を設置してフィルター１４の濾過材を保護している。【００２７】  使用するフィルター１４は、粒径０．３ミクロンの粒子の捕集効率が９９．９７％以上のＨＥＰＡフィルターとしているが、粒径０．１２ミクロンから０．１７ミクロンの粒子の捕集効率が９９．９９９％以上のＵＬＰＡフィルターとしてもよい。【００２８】  また、図示してはいないがフィルター１４の負荷を軽減し寿命を延ばすために、給気ユニット１５の吸入口２０に設けた多孔板２３と送風機１７との間に、プレフィルターとして不織布フィルターを設置して粗塵を濾過してもよい。【００２９】  送風機１７により吸入口２０から導入された外気は、フィルター１４により濾過されて換気口１２よりカプセル内部に供給される。吸入口２０に設けられた多孔板２３は吸入口２０より異物の侵入を防止するためのものである。【００３０】  給気ユニット１５のフィルター１４下流側の多孔板２２及び吸入口２０の多孔板２３は、空気抵抗の少ないものがよく、開口率は５０％以上あるものを使用している。【００３１】  送風機１７としては、フィルター１４の圧力損失が大きく、カプセル内部の陽圧を確保する必要があるためシロッコファンを用いている。【００３２】  給気ユニット１５の正面には、挿入抜き取り用の取っ手１９が設けられており、微細な感染菌等を捕集しているフィルター１４は給気ユニット１５をカプセル本体５から抜き取ることで、直接触れることなく滅菌消毒処理及び交換作業が安全かつ容易となる。あるいは、給気ユニット１５ごと滅菌消毒処理後に廃棄処分することもでき、保守管理及び安全性にも優れる。
【図面の簡単な説明】
【００３３】
【図１】  本発明のクリーン隔離搬送カプセルをストレッチャーの枠体に取り付けた状態を示す斜視図である。
【図２】  排気ユニット又は給気ユニットの装着使用時の空気動線を示す側面図である。
【図３】  排気ユニットの挿入抜き取り方向の縦断面を示した断面図である。
【図４】  給気ユニットの挿入抜き取り方向の縦断面を示した断面図である。
【符号の説明】
【００３４】          １      マットレス                  ２      枠体
３      底部材                      ４      クランプ
５      カプセル本体                ６      カプセルフード
７      作業孔                      ８      弁
９      バックル                    １０    パッキン
１１    バッテリー                  １２    換気口
１３    排気ユニット                １４    フィルター
１５    給気ユニット                １６    多孔板
１７    送風機                      １８    排気口
１９    取っ手                      ２０    給気口
２１    多孔板                      ２２    多孔板
２３    多孔板
【図１】
2005028058.tif 000003
【図２】
2005028058.tif 000004
【図３】
2005028058.tif 000005
【図４】
2005028058.tif 000006